【手続補正書】
【提出日】平成17年10月21日(2005.10.21)
【手続補正１】
【補正対象書類名】手続補正書
【補正対象項目名】手続補正１
【補正方法】削除
【補正の内容】
【手続補正２】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【書類名】    明細書
【発明の名称】  表示装置およびそれを備えた車輌
【特許請求の範囲】
【請求項１】  第１の画像を表示する液晶表示装置と、
第２の画像を表示するホログラフスクリーンと、
上記ホログラフスクリーンに上記第２の画像を投影するための投影装置とを備え、
上記液晶表示装置に表示された上記１の画像と上記ホログラフスクリーンに上記投影装置によって投影された第２の画像が重畳された状態で視認可能となるように、視認方向の手前側に上記液晶表示装置を、奥側に上記ホログラフスクリーンを配接する
ことを特徴とする表示装置。
【請求項２】  上記液晶表示装置は、外周部に液晶表示部を備え、中央部は透明ガラスから構成されている
ことを特徴とする請求項１に記載の表示装置。
【請求項３】  上記表示装置に表示する上記第１の画像は車輌の運転情報であり、
上記第２の画像は車輌の外部情報である
ことを特徴とする請求項１に記載の表示装置。
【請求項４】  上記車輌の運転情報は各種計器により報知される走行速度、エンジン回転数、エンジン温度、油量、ドア開き警告灯、駐車点滅灯、左右折表示、であり、
上記車輌の外部情報は、車輌に取り付けられたカメラで撮影された車輌の周辺情報である
ことを特徴とする請求項３に記載の表示装置。
【請求項５】  上記表示装置は、車輌に取り付けられた車輌用表示装置であることを特徴とする請求項１に記載の表示装置。
【請求項６】  第１の画像を表示する液晶表示装置と、
第２の画像を表示するホログラフスクリーンと、
上記ホログラフスクリーンに上記第２の画像を投影するための投影装置とを備え、
上記液晶表示装置に表示された上記第１の画像と上記ホログラフスクリーンに上記投影装置によって投影された第２の画像が重畳された状態で視認可能となるように視認方向の手前側に上記液晶表示装置を奥側に、上記ホログラフスクリーンを配設した表示装置を備える
ことを特徴とする車輌。
【請求項７】  上記表示装置に表示する上記第１の画像は車輌の運転情報であり、
上記第２の画像は車輌の外部情報である
ことを特徴とする車輌。
【発明の詳細な説明】
【０００１】
【発明の属する技術分野】
本発明は、車輌の各種運転情報と共に車輌の周辺、特に後方や側方の周辺情報を表示できる車輌用表示装置およびそれを備えた車輌に関するものである。
【０００２】
【従来の技術】
先ず、従来技術の車輌用表示装置としては、計器盤に、１枚の、例えば、液晶表示装置のような画像表示装置を配設し、この画像表示装置の表示面に、車輌の運転中の各種計器により報知される走行速度、エンジンの回転数、エンジンの温度、油量、ドア開き警告灯、左右折の表示などの運転情報の記号、数字、文字の画像と車輌の後方や側方の周辺情報の画像を重畳して映出、表示し、運転者に運転の状況を報知するものが提案されている。
【０００３】
【発明が解決しようとする課題】
このような車輌用表示装置は、２つの情報の重なった画像の内、表面側の文字などの奥の画像は当然見えなくなる。
また、２つの画像が同一の表示面で表示されるため、それらの画像の色が近似している場合などの状態になると、画像が見にくく、運転情報や周辺情報の一部分を見落とす危険性がある。
【０００４】
本発明は、このような課題を解決しようとするものであって、運転席から見て手前に、運転情報の画像を実像で表示し、奥側に周辺情報の画像を拡大された虚像で表示するようにして、運転者が表示面に映出されるべき全ての運転情報及び周辺情報を明瞭に確認できる車輌用表示装置およびそれを備えた車輌を得ることを目的とする。
【０００５】
【課題を解決するための手段】
従って、本発明では、車輌用表示装置を、車輌本体の後方及び又は側方を撮影するため電子カメラと、各種運転情報を表示面の外周部に表示し、表示面の内方部分が透明である液晶表示装置と、その液晶表示装置の平面と同一面内の外周部か、その液晶表示装置の後方外周部に配設され、前記電子カメラで撮影されて車輌周辺情報を表示する液晶投影装置と、その液晶投影装置の投射前方に配設され、前記液晶投影装置に表示された車輌周辺情報を映出するためのホログラフスクリーンとから構成して、前記課題を解決している。
【０００６】
従って、本発明によれば、各種運転情報を液晶表示装置の表示面の外周部に表示し、電子カメラで撮影された車輌周辺情報を液晶投影装置によりホログラフスクリーンに投射して、そのホログラフスクリーンに映出された画像を前記液晶表示装置の表示面の中央部から拡大された虚像として見ることができる。
【０００７】
【発明の実施の形態】
以下、図を参照しながら本発明の実施形態の車輌用表示装置を説明する。
図１は本発明の実施形態の車輌用表示装置を備えた車輌の概略図、図２は本発明の実施形態の車輌用表示装置を備えた図１の車輌の運転席部分の略線的な側面図、図３は図２に示した車輌用表示装置に用いて好適な液晶表示装置の一実施形態を示していて、同図Ａはその正面から見た斜視図、同図Ｂは同図Ａの裏面から見た斜視図、図４は液晶表示装置に映出される画像とこれに対する液晶投影装置に映出される画像との位置関係を示す車輌の運転席部分の略線的な側面図、図５は図４に示した映出位置関係の画像を示していて、同図Ａは液晶表示装置に映出された運転情報の画像、同図Ｂは液晶投影装置に映出される電子カメラで撮影された画像の拡大虚像、同図Ｃは同図Ａ及び同図Ｂの画像が重畳されて映出される運転者が見る画像、そして図６は本発明の車輌用表示装置の他の映出効果を説明するための画像である。
【０００８】
先ず、図１乃至図３を参照しながら、本発明の実施形態の車輌用表示装置およびそれを備えた車輌の構成を説明する。
図１及び図２において、符号１は車輌本体を、符号２はその運転席２を指す。運転席２の前方の計器盤３には、本発明の実施形態の車輌用表示装置１０が配設されていおり、後部にはＣＣＤを内蔵した電子カメラＣａが取り付けられている。この電子カメラは、車輌本体１の後部のみならず、車輌本体１のフロントドアに取り付けても、或いはフロントドアに取り付けられているドアミラー内に組み込んでもよく、これらの電子カメラＣａで車輌本体１の側方及び後方の周辺情報を撮影する。車輌はこの電子カメラＣａで撮影された周辺情報が運転情報とともに前記計器盤３内の車輌用表示装置１０に表示されるように構成されている。
【０００９】
その車輌用表示装置１０は、計器盤３内に、運転席２側の手前に表示面が運転者に対面するように配設されている液晶表示装置１１と、この液晶表示装置１１の外周部、図示の実施形態では、その下方に配設されている小型の液晶投影装置１２と、そして運転席２から見て液晶表示装置１１及び液晶投影装置１２の奥まった箇所に配設されている前記液晶投影装置１２の表示面に対面したホログラフスクリーン１３とから構成されている。計器盤３の表示面は透明カバー１４で保護されている。
なお、図２においては、車輌が具備するその他の装置、即ち、ステアリング１５、ステアリングハンガー１６、エアダクト１７、ワイヤーハーネス１８、アクセルペダル１９などが図示されている。そして符号Ｄは運転者を指す。
【００１０】
前記液晶表示装置１１は、図３に一例を示したように、長方形の透明ガラス板１１１の上辺及び下辺のみに帯状の小型液晶表示装置１１２、１１３が形成されており、透明ガラス板１１１の大部分の面積を占める中央部１１４は透明ガラスのままで構成されているものである。液晶表示装置１１はその両側辺に小型液晶表示装置１１２、１１３が配設されているものでもよい。
前記液晶投影装置１２は、液晶表示面１２１とその背後に配設されている光源１２２とから構成されている。
【００１１】
前記液晶表示装置１１の小型液晶表示装置１１２、１１３には、車輌の運転中の各種計器により報知される走行速度、エンジンの回転数、エンジンの温度、油量、ドア開き警告灯、駐車点滅灯、左右折の表示などの運転情報を記号、数字、文字などの画像で表示する。例えば、図５Ａに示したように、上辺に配設された小型液晶表示装置１１２の表示面には、エンジンの回転数、エンジンの温度、油量、ドア開き警告灯、駐車点滅灯の表示などの運転情報を表示し、下辺に配設された小型液晶表示装置１１３の表示面には走行速度を表示し、そして液晶表示装置１１の下方の枠或いはパネルに従来技術の矢印の点滅表示で左右折の表示を行わせる。
【００１２】
前記液晶投影装置１２の液晶表示面１２１には、図５Ｂに示したように、例えば、車輌本体１の後部に取り付けられている電子カメラＣａで撮影された車輌後方の交通情報や、車輌本体１のフロントドアに取り付けられている電子カメラＣａ、或いはそのドアミラー内に組み込まれている電子カメラＣａで撮影された車輌側面及びその後方の交通情報などの周辺情報の画像が映出される。
【００１３】
次に、図４及び図５を参照しながら、前記車輌用表示装置１０の表示効果を説明する。
既に記したように、前記液晶表示装置１１の小型液晶表示装置１１２、１１３には図５Ａに示したような運転中の車輌の運転情報の画像Ｒｉが表示され、前記液晶投影装置１２には電子カメラで撮影された車輌本体１の周辺情報の画像が逐次送られ、その液晶投影装置１２により、図５Ｂに示したように、ホログラフスクリーン１３に投影される。このホログラフスクリーン１３に投影された画像は、運転者Ｄから見ると、車輌のステアリングハンガー１６やエアダクト１７などが配設されている位置辺りにホログラフの画像（虚像）Ｖｉが現れ、運転者Ｄは、図５Ｃに示したように、液晶表示装置１１の画像Ｒｉは手前に、ホログラフスクリーン１３に投影された画像Ｖｉは奥の方に、液晶表示装置１１の画像Ｒｉから十分に離れた位置に、重畳された状態で見える。このホログラフの虚像Ｖｉは拡大されて見えるので、運転者Ｄにとっては、非常に見やすい。
【００１４】
また、ホログラフの画像（虚像）Ｖｉが液晶表示装置１１の画像により部分的に重なって見にくくなった場合には、その見えなくなった位置によって、図６Ａに示したように、運転者Ｄは頭を若干左右に移動させれば、奥まった位置にある左方或いは右方の画像Ｖｉを見ることができ、また、図６Ｂに示したように、運転者Ｄが頭を若干上下に移動させれば、奥まった位置にある上方或いは下方の画像Ｖｉを見ることができ、従来技術の車輌用表示装置に見受けられたように、重なった画像Ｖｉが見えなくなるような不都合は生じない。
【００１５】
【発明の効果】
以上の説明から明らかなように、本発明の実施形態の車輌用表示装置およびそれを備えた車輌によれば、計器盤内の限られた面積内に２種類の多くの運転情報と周辺情報との画像が重畳されて表示されていても、両画像が前後に十分に離れた位置関係で表示されるので、前記運転情報により前記周辺情報が見えなくなることがない。
また、本発明の車輌用表示装置およびそれを備えた車輌は、計器盤３の奥にステアリングハンガー、エアダクトなどの装置が存在していても、電子カメラで撮影した前記周辺情報の画像をホログラフの虚像で表示しているので、車輌でスペースに制限があっても所望の位置に画像を映出することができる。
【図面の簡単な説明】
【図１】  本発明の実施形態の車輌用表示装置を備えた車輌の概略図である。
【図２】  本発明の実施形態の車輌用表示装置を備えた図１の車輌の運転席部分の略線的な側面図である。
【図３】  図２に示した車輌用表示装置に用いて好適な液晶表示装置の一実施形態を示していて、同図Ａはその正面から見た斜視図、同図Ｂは同図Ａの裏面から見た斜視図である。
【図４】  液晶表示装置に映出される画像とこれに対する液晶投影装置に映出される画像との位置関係を示す車輌の運転席部分の略線的な側面図である。
【図５】  図４に示した映出位置関係の画像を示していて、同図Ａは液晶表示装置に映出された運転情報の画像、同図Ｂは液晶投影装置に映出される電子カメラで撮影された画像の拡大虚像、同図Ｃは同図Ａ及び同図Ｂの画像が重畳されて映出される運転者が見る画像である。
【図６】  本発明の車輌用表示装置の他の映出効果を説明するための画像である。
【符号の説明】
１…車輌本体、２…運転席、３…計器盤、１０…本発明の実施形態の車輌用表示装置、１１…液晶表示装置、１１１…透明ガラス板、１１２，１１３…小型液晶表示装置、１１４…液晶表示装置１１の中央部、１２…液晶投影装置、１２１…液晶表示面、１２２…光源、１３…ホログラフスクリーン、Ｃａ…電子カメラ、Ｄ…運転者、Ｒｉ…液晶表示装置１１に表示される画像、Ｖｉ…ホログラフスクリーン１３に表示される画像（虚像）